(57)【要約】【課題】ミクロトームにおいて試料ヘッドを可及的に正確に位置決めすること。【解決手段】切断ナイフ（４）と該切断ナイフ（４）に対し相対的に可動な試料ヘッド（５）を含むミクロトーム。該ミクロトームは、前記試料ヘッド（５）の電動運動のための電気駆動装置（１６）と、目標位置（ｚ１）における前記試料ヘッド（５）の存在を検出するためのセンサ（２１）と、前記電気駆動装置（１６）を制御するための及び前記センサ（２１）の信号を処理するための制御装置（１８）を含む。前記制御装置（１８）は、前記試料ヘッド（５）を動かすように及び前記目標位置（ｚ１）における前記試料ヘッド（５）の存在の検出に応答して前記試料ヘッド（５）を停止させるように前記電気駆動装置（１６）を制御するよう構成されている。【選択図】図２
2021504671.tif 000002
【特許請求の範囲】
【請求項１】
切断ナイフ（４）と、該切断ナイフ（４）に対し相対的に可動な試料ヘッド（５）を含む、ミクロトームであって、
該ミクロトームは、
前記試料ヘッド（５）の電動運動のための電気駆動装置（１６）と、
目標位置（ｚ１）における前記試料ヘッド（５）の存在を検出するためのセンサ（２１）と、
前記電気駆動装置（１６）を制御するための及び前記センサ（２１）の信号を処理するための制御装置（１８）
を含み、
前記制御装置（１８）は、前記試料ヘッド（５）を動かすように及び前記目標位置（ｚ１）における前記試料ヘッド（５）の存在の検出に応答して前記試料ヘッド（５）を停止させるように前記電気駆動装置（１６）を制御するよう構成されている、
ミクロトーム。
【請求項２】
前記試料ヘッド（５）を手動で動かすために、機械式ドライブトレイン（１５）を介して前記試料ヘッド（５）に結合されているハンドホイール（８）を備える、
請求項１に記載のミクロトーム。
【請求項３】
前記センサ（２１）は前記ハンドホイール（８）の位置を検出するよう構成されている、
請求項２に記載のミクロトーム。
【請求項４】
前記センサ（２１）は回転角センサである、
請求項３に記載のミクロトーム。
【請求項５】
前記機械式ドライブトレイン（１５）はクランク機構を含む、
請求項２から４のいずれか１項に記載のミクロトーム。
【請求項６】
前記センサ（２１）は前記クランク機構の死点位置を検出するよう構成されている、
請求項５に記載のミクロトーム。
【請求項７】
ミクロトームは、前記目標位置（ｚ１）の前方の位置に前記試料ヘッド（５）の存在を検出するための更なるセンサ（１９）を備える、
請求項１から６のいずれか１項に記載のミクロトーム。
【請求項８】
前記制御装置（１８）は、最初に第一速度で前記試料ヘッド（５）を動かし、前記目標位置（ｚ１）の前方の前記位置における前記試料ヘッド（５）の存在の検出に応答して、前記第一速度より遅い第二速度で前記試料ヘッド（５）を動かすように前記電気駆動装置（１６）を制御するよう構成されている、
請求項７に記載のミクロトーム。
【請求項９】
前記制御装置（１８）は、前記試料ヘッド（５）の停止後に、１つまたは複数の機能を実行するように構成されている、
請求項１から８のいずれか１項に記載のミクロトーム。
【請求項１０】
ミクロトーム（１）の試料ヘッド（５）を目標位置（ｚ１）に位置決めする方法であって、
前記試料ヘッド（５）は、電気駆動装置（１６）によって、前記ミクロトーム（１）の切断ナイフ（４）に対して相対的に動かされ、
前記試料ヘッド（５）が前記目標位置（ｚ１）に存在することがセンサ（２１）によって検出されると、前記試料ヘッド（５）は停止される、
方法。
【請求項１１】
機械式ドライブトレイン（１５）を介して前記試料ヘッド（５）に結合されているハンドホイール（８）の位置は前記センサ（２１）によって検出されること、
を特徴とする請求項１０に記載の方法。
【請求項１２】
クランク機構として構成された前記機械式ドライブトレイン（１５）の死点位置が検出されること、
を特徴とする請求項１１に記載の方法。
【請求項１３】
前記試料ヘッド（５）は、前記電気駆動装置（１６）によって、前記ミクロトーム（１）の前記切断ナイフ（４）に対して相対的に、最初に第一速度で動かされ、次に、前記目標位置（ｚ１）へ接近する際、前記第一速度より遅い第二速度で動かされること、
を特徴とする請求項１０から１２のいずれか１項に記載の方法。
【請求項１４】
前記試料ヘッド（５）の停止後、１つまたは複数の機能が、特に前記試料ヘッド（５）に存在する試料（７）の撮像が、作動されること、
を特徴とする請求項１０から１３のいずれか１項に記載の方法。
【発明の詳細な説明】
【技術分野】
【０００１】
本発明は、切断ナイフと、該切断ナイフに対して相対的に可動な試料ヘッドを含むミクロトーム、及び、ミクロトームの試料ヘッドを目標位置に位置決めする方法に関する。
【背景技術】
【０００２】
ミクロトームは、操作者の作業負荷を減らし、容易な取り扱いを確保するために、一層自動化されている。更に、スループットは、相応に自動化されたミクロトームによって向上されることができる。ミクロトームの自動化のために、ミクロトームは、試料を切断ナイフ際にもたらすための電動送り機構（Zustellmechanismen）だけではなく、試料と切断ナイフとの間の切断運動を引き起こす電動駆動システムも備える。
【０００３】
ディスク式ミクロトーム（Scheibenmikrotom）として構成されたそのようなミクロトームは例えばＷＯ９８／０４８９８Ａ１に記載されている。
【０００４】
別のタイプのものは回転式ミクロトーム（Rotationsmikrotom）という名称で知られており、例えばＵＳ５，０６５，６５７に記載されている。回転式ミクロトームは、通常、切断されるべき試料を保持する試料ヘッドを備える。試料ヘッドは、回転式ミクロトームでは、通常、垂直方向で上下に動く。この垂直方向運動中に、切断されるべき試料は、回転式ミクロトーム内に固定的に配置されている切断ナイフ際を通過する。垂直方向運動は、ハンドホイールによって駆動されるクランク機構（Kurbelbetrieb）によって引き起こすことができる。クランク機構は、ハンドホイールの回転運動を試料ヘッドの垂直方向運動に変換する。
【０００５】
ＵＳ６，５９８，５０７Ｂ１は、薄切片を作製するためのそのような電動回転式ミクロトームを記載しており、この場合、切断（切片）は、試料と切断ナイフとの間の相対運動によって引き起こされる。切断運動を引き起こすために、モータ、制御ユニットおよびハンドホイールを含む駆動システムが設けられている。ハンドホイールは、ハンドホイールの相応の回転信号を制御ユニットに出力するインクリメンタルトランスデューサ（Inkrementalgeber）を備える。次いで、モータは制御ユニットによって相応に制御され、それによって、切断運動を引き起こす。
【０００６】
ＵＳ８，６４０，５８５Ｂ２は、滑走式ミクロトーム（Schlittenmikrotom）を使用して試料の連続画像を生成する装置を開示している。試料は試料ホルダに配置され、ナイフは試料の上方で切断方向に動かされる。ナイフの上方には、丁度生成された試料の切断面の相応の画像を取得するためのカメラを備えた顕微鏡が配置されている。
【０００７】
ＵＳ３，８８４，５６３Ａは、連続画像取得（連続撮像）を可能にするために、乾燥凍結試料から有機材料の連続薄切片を回転ナイフによって切断（生成）するミクロトームを記載している。
【先行技術文献】
【特許文献】
【０００８】
【特許文献１】ＷＯ９８／０４８９８Ａ１
【特許文献２】ＵＳ５，０６５，６５７
【特許文献３】ＵＳ６，５９８，５０７Ｂ１
【特許文献４】ＵＳ８，６４０，５８５Ｂ２
【特許文献５】ＵＳ３，８８４，５６３Ａ
【発明の概要】
【発明が解決しようとする課題】
【０００９】
例えばそのような連続画像取得を可能にするために、回転式ミクロトームにおいて試料ヘッドを可及的に正確に位置決めすることが可能であることが望ましい。
【課題を解決するための手段】
【００１０】
本発明に応じ、切断ナイフと該切断ナイフに対して相対的に可動な試料ヘッドを含むミクロトーム及びミクロトームの試料ヘッドを目標位置に位置決めする方法であって、夫々独立請求項の特徴を有するものが提案される。
【発明を実施するための形態】
【００１１】
有利な実施形態は従属請求項及び以下の説明の対象である。
【００１２】
ミクロトームは、試料ヘッドの電動運動（モータ駆動による運動）のための電気駆動装置と、目標位置における試料ヘッドの存在を検出するためのセンサと、電気駆動装置の制御のための及びセンサの信号の処理のための制御装置を備える。制御装置は、試料ヘッドを動かすように及び目標位置における試料ヘッドの存在の検出に応答して試料ヘッドを停止するように、電気駆動装置を制御するよう構成されている。
【００１３】
相応に、本発明の方法の枠内において、試料ヘッドは、電気駆動装置によって、切断ナイフに対して相対的に動かされる。試料ヘッドが目標位置に存在することがセンサによって検出されると、試料ヘッドは停止される。本発明のミクロトーム及び本発明の方法の利点および好ましい実施形態は、以下の説明から相応に明らかになる。
【００１４】
本発明は、試料ヘッドを所望の位置に確実に到達させることを可能にするための、更には、この位置における試料ヘッドの到達及び停止のための高い再現精度（Wiederholgenauigkeit）を達成するための可能性を提供する。制御ユニットは、試料ヘッドが所望の目標位置に高い精度かつ高い再現精度で移動可能であるよう、センサが当該位置における試料ヘッドの存在を認識（検出）するとすぐに、電気駆動装置を、したがって、試料ヘッドの運動を停止させると好都合である。
【００１５】
試料ヘッドには、対象物ないし試料が配置可能であると好都合である。電気駆動装置は、例えば、電気モータとして、特にステッピングモータとして、構成可能である。電気駆動装置による試料ヘッドの運動によって、対象物はナイフの刃（エッジ）上に導かれることができ、試料の切片（複数；Schnitte）が生成されることができる。
【００１６】
例えば、試料ヘッド、したがって試料は、各切断の実行後に、高い再現精度で正確に目標位置に移動されることができる。この目標位置は、特に、試料ヘッドおよび試料ヘッド上に配置される試料が極めて（最も）良好に到達可能な（zugaenglich）位置とすることができる。この目標位置への高精度で確実な到達によって、とりわけ、常に同じ目標位置における切片（複数）の連続画像取得（連続撮像）を提供することを可能にすることができる。したがって、高い再現精度で、例えば各切断後に目標位置における試料の写真画像を取得することができ、例えば、複数の画像を重ねて３次元画像を生成したりフィルム（動画）として再生したりすることができ、それによって、試料の３次元的印象を得ることができる。
【００１７】
有利には、ミクロトームは、試料ヘッドに機械式ドライブトレイン（駆動伝達系）、特にクランク機構を介して結合される、試料ヘッドを手動で動かすためのハンドホイールを有する。ハンドホイールは、回動可能に（軸受）支持されることができ、ハンドルを有することができると好都合である。ハンドホイールの手動での回転によって、試料ヘッドは動かされ、それによって、試料はナイフの刃（エッジ）上に導かれる。ハンドホイールの回転運動は、機械式ドライブトレインを介して、とりわけ試料ヘッドの垂直方向上下運動に変換される。
【００１８】
センサは、有利には、ハンドホイールの位置を検出するよう構成されている。有利には、センサによって、機械式ドライブトレインを介して試料ヘッドに結合されているハンドホイールの位置が検出される。これは、ハンドホイールの回転運動と試料ヘッドの垂直方向運動との間にとりわけ正弦関係が存在するため、とりわけ試料ヘッド位置の格別に高精度な検出をもたらす。ハンドホイールの実際の位置ないしハンドホイールの回転運動の実際の角度位置から、試料ヘッドの実際の位置を正確に求める（決定する）こと、及び、目標位置における試料ヘッドの存在を高信頼性で認識する（検出する）ことができる。
【００１９】
センサは、好ましくは回転角センサである。このような回転角センサによって、ハンドホイールの回転運動の実際位置または実際角度位置を正確に検出することができる。ハンドホイールの回転運動は試料ヘッドの運動と直接に相関するため、試料ヘッドの実際位置を正確に求める（決定する）ことができる。
【００２０】
有利には、機械式ドライブトレインはクランク機構を含む。ハンドホイールはこのクランク機構のクランクシャフトに回転不能に結合されると好都合であり、そのため、ハンドホイールの回転によって、クランクシャフトも回転される。クランクシャフトの対応する回転運動は、例えば、コネクティングロッド（Pleuel）を介して、試料ヘッドの垂直方向運動に変換される。
【００２１】
本発明の好ましい一実施形態に応じ、センサはクランク機構の死点位置（Totpunktstellung）を検出するよう構成されている。したがって、有利には、クランク機構として構成された機械式ドライブトレインの死点位置が検出される。これは格別に高精度の検出をもたらす。なぜなら、クランク機構のないしクランク機構のクランクシャフトの回転運動と試料ヘッドの運動との間に、特に、死点の領域において、特に上死点の領域において、格別にフラット（平ら）である正弦関係（正弦曲線の推移）が存在するからである。
【００２２】
有利には、ミクロトームは、目標位置の前方の位置において試料ヘッドの存在を検出するために更なるセンサを有する。このセンサは、例えば、光障壁式センサ（物体が光ビームを横切ることを検出するセンサ：Lichtschranke）またはマグネットスイッチ（Magnetschalter）として構成可能であり、試料ヘッドは、例えば、対応するトリガタブ（Ausloesefahne）または対応するトリガマグネット（Ausloesemagneten）を備えることができる。したがって、この更なるセンサによって、試料ヘッドが目標位置に接近し、この目標位置にまもなく到達すること（とき）を認識する（検出する）ことができる。したがって、ミクロトームは、試料ヘッドの運動を間もなく停止させるために適時に準備することができる。
【００２３】
好ましい一実施形態に応じ、制御装置は、最初に第一速度で試料ヘッドを動かし、目標位置の前方の位置における試料ヘッドの存在の検出に応答して、第一速度より遅い第二速度で試料ヘッドを動かすように、電気駆動装置を制御するよう構成されている。したがって、試料ヘッドは、電気駆動装置によって、ミクロトームの切断ナイフに対し相対的に、最初に第一速度で動かされ、次いで、目標位置に接近する際に、より遅い第二速度で動されると有利である。したがって、試料ヘッドは、試料ヘッドが目標位置の前方の位置に存在すること、従って目標位置に接近していることが認識（検出）されるまで、まず、より大きい第一速度で迅速に動かされる。その後、試料ヘッドの速度は減少され、試料ヘッドは、目標位置における試料ヘッドの正確な停止を可能にするために、より遅い第二速度で動かされる。
【００２４】
好ましくは、制御装置は、試料ヘッドの停止後、１つまたは複数の機能を実行するように構成される。そのため、試料ヘッドの停止後、有利には、１つまたは複数の機能が、特に試料ヘッド上に存在する対象物（試料）の撮像が作動（トリガ）される。したがって、例えば、試料の切片（複数）の連続画像取得（連続撮像）を常に同じ目標位置において自動的に実行（生成）することができる。例えば、ナイフの自動交換および／または、新たな試料を処理に供するための、試料ホルダの自動交換も、そのような更なる機能として行うことができる。
【００２５】
本発明のさらなる利点および実施形態は以下の説明および添付の図面から明らかになる。
【００２６】
上記に列挙された特徴および以下において説明されるべき各特徴は、それぞれ示された組み合わせだけではなく、本発明の範囲から逸脱することなく、他の任意の組み合わせでまたは個別に使用可能であると理解されるべきである。
【００２７】
本発明は、一実施形態に基づいて図面に概略的に記載されているが、以下に図面を参照して詳細に説明される。
【図面の簡単な説明】
【００２８】
【図１】回転式ミクロトームの一例の斜視図。
【図２】本発明の好ましい一実施形態に応じた回転式ミクロトームの一例のドライブトレインの模式図。
【図３】本発明の好ましい一実施形態のフローチャートの一例。
【実施例】
【００２９】
図１は、ミクロトームハウジング２と、切断ナイフ４を受容するためのナイフホルダ３を含むミクロトーム１の一例を示す。対象物（試料）７はその試料ホルダ６と共に、キャリッジ（スライダ）として構成され両矢印方向に可動な試料ヘッド５上に配置されている。ミクロトーム１には、ハンドルグリップ９を有し回転自在に（軸受）支持されたハンドホイール８が配されている。ハンドホイール８における回転によって、試料ヘッド５は動かされ、対象物７はナイフ４の刃（エッジ）上に導される。
【００３０】
図２にも示されるように、ハンドホイール８は例えばクランク機構１５（ＵＳ５，０６５，６５７参照）のような機械式ドライブトレインを介して試料ヘッド５に結合されることができる。この場合、ハンドホイールはクランク機構１５のクランクシャフト１４に回転不能に結合されており、そのため、ハンドホイール８の回転によって、クランクシャフト１４も回転される。
【００３１】
試料ヘッド５の電動の（モータ駆動による）上下運動（すなわち切断運動）のために、更に、例えばステッピングモータとして構成される電気モータ１６が設けられている。この電気モータ１６は、例えばベルトドライブとして構成される機械式ドライブトレイン１７を介してハンドホイール８またはクランクシャフト１４に結合されている。ハンドホイール８ないしクランクシャフト１４からモータ１６を切り離すためのクラッチ（連結装置）を設けることも可能である。クラッチはとりわけ手動での切断のために開放されるため、この場合、ハンドホイールを電気モータの抵抗に抗して手動で回転させる必要はない。モータ１６は、ミクロトーム構成要素（複数）を制御するよう構成された（ハウジング２の内部の）制御ユニット１８によって制御される。
【００３２】
制御ユニット１８には制御ライン２２を介して外部コントロールパネル（Bedienpult）１０が接続されている。コントロールパネル１０は、数値入力のためのキーパッド１１と、連続的に変化可能な入力のための回転式コントローラ１３と、所定のスイッチ位置及び運転状態を入力するためのスイッチ１２を有する。
【００３３】
試料ヘッド５は、付加的に、（切断ナイフの方向における）前方および後方に直線的に運動可能に構成されるが、そのために、機械式または電気式ドライブトレインを有するハンドホイール（不図示）と電気モータを設けることも可能である。切片厚および所謂「対象物後退（Objektrueckzug）」（試料ヘッドが、下方位置から再び上方位置へ移動される前に、所定の距離を置いてナイフの刃（エッジ）際を通り過ぎるよう、一旦後退させられること）は、このドライブトレインを介して実現される。そのために、試料ヘッドは、付加的に、直線的に可動に、例えばキャリッジに、支持される。電気式ドライブトレインは、例えば、ハンドホイールに回転運動を検出するためのインクリメンタルトランスデューサが配属され（割り当てられ）、このトランスデューサの信号が制御ユニットに供給され、次いで、制御ユニットがこれらの信号に依存して電気モータを制御するようにして、実現される（具現化される）ことができる。
【００３４】
ここで、上下運動のためのドライブトレインについて、図２を参照してより詳細に説明する。クランク機構１５によって、試料ヘッド５は、下方位置ｚ０と上方位置ｚ１との間で走行（運動）可能である。制御ユニット１８には、試料ヘッド５の存在を検出する上部センサ１９および下部センサ２０が接続されている。センサ１９、２０は、例えば、光障壁式センサまたはマグネットスイッチとして構成されることができる。これに対応して、試料ヘッド５は、例えばトリガタブまたはトリガマグネットを備えることができる。
【００３５】
上部センサ１９と下部センサ２０との間の距離はいわゆる切断ウィンドウを定義する。なお、このウィンドウ内において、試料７は切断ナイフ４際を通過するよう案内される。切断ウィンドウの内部では、とりわけ、切断ナイフ４に対する相対的な試料ヘッド５の速度は、きれいな（正確な：sauber）切片を確保するために、遅いことが望ましい。これに対し、切断ウィンドウの外部では、すなわちとりわけ試料ヘッド５の上方への戻り走行（運動）の際には、より高い速度で走行することができる。
【００３６】
本発明は、付加的に、試料ヘッド５が所望の位置に確実に到達することを可能にするための解決策を提供する。この位置は、とりわけ、試料ヘッド５および該試料ヘッド上に配された試料７が極めて（最も）良好に到達可能な（zugaenglich）上方位置ｚ１である。とりわけ常に同じ位置における切片（複数）の連続撮像を可能にするために、高精度でこの位置に到達することが望ましい。
【００３７】
そのために、本発明のここに記載される好ましい一実施形態に応じ、ミクロトーム１は、特に機械式ドライブトレインは、所望の位置における試料ヘッド５の存在を認識する（検出する）更なるセンサ２１を備えている。センサ２１は制御ユニット１８に接続されており、制御ユニットは、センサ２１が試料ヘッド５を検出するとすぐにモータ１６を停止させる。
【００３８】
本発明のここに記載される好ましい一実施形態に応じ、センサ２１は、ハンドホイール８の位置、従ってクランクシャフト１４の位置、従って試料ヘッド５の位置を検出するために、ハンドホイール８に配属されている（関連付けられている）。これは格別に高精度の検出をもたらす。なぜなら、ハンドホイール８の回転運動と試料ヘッド５の垂直方向運動との間には、この例において関連する上死点の領域において格別に平ら（フラット）である正弦関係が存在するからである。この措置によって、試料ヘッド位置についての１〜２μｍの再現精度を達成（実現）することができる。センサ２１は、特に回転角センサとして構成されることができる。
【００３９】
試料ヘッド５がこの位置にあると、このことはセンサ２１によって検出され、制御ユニット１８へ通知（伝達）される。制御ユニット１８は、モータ１６を停止させることに加えて、更なる機能を、例えば試料の表面の撮像を、作動することができる。このために、制御ユニット１８には、カメラ２３の作動ないしトリガラインも接続することができる。
【００４０】
代替的にまたは付加的に、新たな試料７を処理に供するために、試料ホルダ６の自動的交換を実行することができ、または、その位置は、ナイフ交換位置へと、可動の試料ヘッド５とナイフ４との間に可及的に大きな距離を形成するよう、移動される。
【００４１】
高い再現精度によって、各切断後に（１つの）写真画像を取得することができる。複数の画像は、試料の３次元印象が得られるよう、重ね合わされて３次元画像を生成したり、フィルム（動画）として再生されたりすることができる。
【００４２】
本発明は、更に、滑走式ミクロトームにおいて使用されることができる。これらの２種類のミクロトームは夫々クライオスタットに組み込むことも可能である。この場合、写真撮影装置の配設は、カプセル化によりクライオスタットチャンバ内で実行可能であり、またはミラー装置を介してクライオスタットチャンバの外部において実現可能である。
【００４３】
ここで、格別な高精度を達成（実現）可能である本発明の方法の好ましい一実施形態について、図３を参照して説明する。
【００４４】
ステップ１００では、試料ヘッド５は位置ｚ１にある。
【００４５】
ステップ１０１では、試料ヘッド５は、センサ１９によって検出されるまで、したがって切断ウィンドウに入るまで、第一速度（送り速度）で下方に動かされる。
【００４６】
ステップ１０２では、この（第一）速度は第二速度（切断速度）に低下される。そのため、試料ヘッド５は、センサ２０によって検出されるまで、したがって切断ウィンドウを去るまで、よりゆっくりと（より遅く）更に下方に動かされる。その間に、切断が行われる。
【００４７】
ステップ１０３では、速度は再び第一速度に増大され、試料ヘッド５は、下死点ｚ０に到達するまで、さらに下方に動かされる。
【００４８】
ステップ１０４では、試料ヘッド５は、今度は、直線的に後方に動かされる。
【００４９】
ステップ１０５では、試料ヘッド５は、センサ１９によって再度検出されるまで、第一速度で、ナイフの後方を通り過ぎて上方へ動かされる。
【００５０】
ステップ１０６では、本発明の好ましい一実施形態に応じ、速度は再び、好ましくは第二速度に、低下され、試料ヘッド５は、上死点ｚ１に到達し、同時にセンサ２１が応答するまで、さらに上方へ動かされる。
【００５１】
ステップ１０７では、電気モータ１６は停止され、１つ以上の所望の機能、特に連続画像を生成するための機能、が作動される。
【００５２】
該機能の終了後、試料表面の特に連続画像を全体的に取得することができるよう、このプロセス（オペレーション：Ablauf）は好ましくは始めから開始される。
【図１】
2021504671.tif 000003
【図２】
2021504671.tif 000004
【図３】
2021504671.tif 000005
【国際調査報告】
2021504671.tif 000006
2021504671.tif 000007
2021504671.tif 000008
2021504671.tif 000009
2021504671.tif 000010
2021504671.tif 000011